【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
血管内腔内の障害物を回収および確保するための介入医療デバイスであって、該デバイスは、
蛇行性生体構造を通って進行するための可撓性を有するシャフトであって、該シャフトは、遠位部分および近位部分を有する、シャフトと、
複数のストラットを備える、該シャフトの遠位部分に位置する捕捉構造であって、該捕捉構造は、該障害物の中にまたはそれに隣接して配置するための縮小プロファイルと、該障害物の中へと拡張されると、該ストラットが少なくとも部分的に該障害物と噛合し、それにより、該捕捉構造のその後の移動によって、該内腔からの該障害物の少なくとも一部の転置を可能にするような拡張プロファイルとを有する、捕捉構造と、
該捕捉構造の近位端に対して添着される固定区画と、該固定区画から近位方向に延在する自由区画と、該固定区画から該自由区画まで延在するカバー壁とを有する外転可能カバーであって、該外転可能カバーは、拡張可能であり、該外転可能カバーは、軸方向に柔軟であることにより、該シャフトが該内腔内で近位に移動させられると、該外転可能カバーが、該捕捉構造を覆って外転し、該カバーの自由区画が該捕捉部分の固定端の遠位にあることを可能にする、外転可能カバーと
を備える、デバイス。
【請求項２】
前記外転可能カバーと、捕捉構造と、シャフトとは、一体型構造である、請求項１に記載の医療デバイス。
【請求項３】
前記自由区画の端部に位置する各ワイヤは、前記カバーまでループを作って戻り、該カバーは、該自由区画の端部におけるワイヤを連続した状態にさせる、請求項１に記載の医療デバイス。
【請求項４】
前記遠位端に隣接する前記カバー壁の少なくとも一部は、拡張時に外転される設定形状を有する、請求項１に記載の医療デバイス。
【請求項５】
カテーテル本体をさらに備え、送達構成において、前記シャフト、捕捉構造、および外転可能カバーは、該カテーテル本体内に位置し、該捕捉構造は、該カテーテル本体の遠位端の中において、およびそれから外に前進可能である、請求項１に記載の医療デバイス。
【請求項６】
前記外転可能カバーは、前記カバー壁を形成する複数の層を備える、請求項１に記載の医療デバイス。
【請求項７】
前記外転可能カバーの自由区画は、前記シャフトに取着されることなく、前記シャフトの周りに部分的に拘束される、請求項１に記載の医療デバイス。
【請求項８】
前記カバー壁の一部は、前記外転可能カバーが拡張されると、前記固定区画を越えて遠位に延在する、請求項１に記載の医療デバイス。
【請求項９】
前記外転可能カバーの固定区画は、事前に設定された形状を備えることにより、該外転可能カバーを外転させるために要求される力を低減させる、請求項１に記載の医療デバイス。
【請求項１０】
前記カバー壁は、配備時に、波状パターンに層化される、請求項１に記載の医療デバイス。
【請求項１１】
前記捕捉構造は、細長ステント構造を備える、請求項１に記載の医療デバイス。
【請求項１２】
前記捕捉構造は、フィルタ、動脈切除術用デバイス、回転カッタ、吸引デバイス、ステントベースの回収用機器、および回収バスケットから構成される群から選択されるデバイスを備える、請求項１に記載の医療デバイス。
【請求項１３】
前記カバーは、自己拡張式である、請求項１に記載の医療デバイス。
【請求項１４】
前記遠位開口部にあるか、またはそれに隣接する前記カバーの一部は、球根状形状を備える、請求項１に記載の医療デバイス。
【請求項１５】
前記カバーは、第１の多孔率を有する第１の多孔性区画と、少なくとも第２の多孔率を有する第２の多孔性区画とを備え、該第１の多孔率と第２の多孔率とは、第１の多孔性区画と第２の多孔性区画とを通って流動する流体の能力が異なるように、異なる、請求項１に記載の医療デバイス。
【請求項１６】
前記第１の多孔性区画は、第１の編組密度を備え、前記第２の多孔性区画は、第２の編組密度を備える、請求項１５に記載の医療デバイス。
【請求項１７】
前記第１の多孔性区画は、付加的な編組層を備える、請求項１５に記載の医療デバイス。
【請求項１８】
前記第１の多孔性区画は、それを通って流体が流動することを防止する、請求項１５に記載の医療デバイス。
【請求項１９】
前記第１の多孔性区画は、前記第２の多孔性区画の遠位にあり、前記第１の多孔率は、前記第２の多孔率を上回る、請求項１５に記載の医療デバイス。
【請求項２０】
前記第１の多孔性区画は、前記カバーの周辺領域を備える、請求項１５に記載の医療デバイス。
【請求項２１】
前記カバーの領域に、またはそれに隣接して、少なくとも１つのポリマー層をさらに備える、請求項１に記載の医療デバイス。
【請求項２２】
前記ポリマー層の上に、またはその中に少なくとも１つの薬剤をさらに備える、請求項２１に記載の医療デバイス。
【請求項２３】
前記シャフトの遠位端に少なくとも１つの放射線不透過性マーカーをさらに備える、請求項１に記載の医療デバイス。
【請求項２４】
前記カバーは、メッシュ材料を備える、請求項１に記載の医療デバイス。
【請求項２５】
前記メッシュ材料は、単一の連続ワイヤを備える、請求項２４に記載の医療デバイス。
【請求項２６】
前記メッシュ材料の少なくとも一部は、延伸充填管材料から加工される、請求項２４に記載の医療デバイス。
【請求項２７】
前記メッシュ材料の少なくとも一部は、放射線不透過性材料から加工される、請求項２４に記載の医療デバイス。
【請求項２８】
前記外転可能カバーは、少なくとも１つのワイヤを備え、該少なくとも１つのワイヤは、コイルの巻線が前記カバー壁を形成するようにコイル状にされている、請求項１に記載の医療デバイス。
【請求項２９】
前記カバーは、前記コイルに隣接する編組をさらに備える、請求項２８に記載の医療デバイス。
【請求項３０】
前記カバーは、前記コイルに連結されたフィルムをさらに備える、請求項２８に記載の医療デバイス。
【請求項３１】
前記外転可能カバーは、前記カバー壁の外部表面に少なくとも１つのバーブまたはナックルを備える、請求項１に記載の医療デバイス。
【請求項３２】
前記外転可能カバーは、内側編組層および外側編組層を備え、該外側編組層は、該内側編組層よりも比較的柔軟である、請求項１に記載の医療デバイス。
【請求項３３】
血管内の障害物を確保するためのシステムであって、該システムは、
血管内に配置されるように構成されているカテーテルと、
回収デバイスが添着されているシャフトであって、該カテーテルから外に前進させられるように構成されている、シャフトと、
該カテーテルから外に前進させられるように構成されている外転可能カバーであって、該前進させられることにより、該外転可能カバーの固定端が該回収デバイスの近位端に隣接し、該外転可能カバーの自由端が該シャフトおよび回収デバイスに対して移動可能である、外転可能カバーと、
を備え、
該外転可能カバーの少なくとも一部は、該血管の壁の一部に対して拡張させられるように構成されており、
該回収デバイスは、少なくとも部分的に該障害物と噛合された状態になるように操作されるように構成されており、
該シャフトおよび回収デバイスは、そこに添着された該障害物の少なくとも一部とともに近位に並進させられるように構成されており、該並進させられることにより、該血管に対する該外転可能カバーの抵抗は、該外転可能カバーの移動に抵抗し、該外転可能カバーの自由区画を、近位に並進された回収デバイスを覆って外転させる、
システム。
【請求項３４】
前記シャフトは、前記血管からさらに引抜されるように構成されており、該引抜することにより、引抜の間、前記外転可能カバーは、前記障害物を覆う保護障壁を形成し、該血管によって生じさせられる剪断力を減少させ、前記回収デバイスから該障害物が外れることを低減させる、請求項３３に記載のシステム。
【請求項３５】
血管内の障害物を確保するためのシステムであって、該システムは、
回収デバイスが添着されたシャフトであって、該障害物まで前進させられるように構成されている、シャフトと、
該シャフトにわたって前進させられるように構成されている保護デバイスであって、該保護デバイスは、外転可能カバーを有するシースを備え、該外転可能カバーの固定端は、該シースの遠位部分に添着され、該外転可能カバーの自由端は、該固定端の近位に位置する、保護デバイスと、
を備え、
該外転可能カバーの固定端は、該回収デバイスに隣接して配置されるように構成されており、そして該外転可能カバーの少なくとも一部は、該血管の壁の一部に対して拡張させられるように構成されており、
該シャフトおよび回収デバイスは、そこに添着された障害物の少なくとも一部とともに近位に並進させられるように構成されており、該並進させられることにより、該血管に対する該外転可能カバーの抵抗が、該外転可能カバーの移動に抵抗し、該外転可能カバーの自由区画を、近位に並進された回収デバイスを覆って外転させる、
を含む、システム。
【請求項３６】
血管内腔内の障害物を確保し、血管系を通って進行させられるように構成されているカテーテルと併用するための医療デバイス回収システムであって、該デバイスは、
複数のストラットを備える細長ステントであって、該ステントは、送達の間、該カテーテルの中に配置するために圧潰可能であり、拡張プロファイルを有することにより、拡張されると、該ストラットが該障害物に係合するように構成されている、ステントと、
該細長ステントに固定して取着され、蛇行性生体構造を通って進行するための可撓性を有するシャフトと、
該細長ステントの近位端に連結される遠位端と、空洞を画定し、該シャフトに沿って延在するカバー壁と、該シャフトに対して移動可能である近位端とを有する流体浸透性カバーであって、該流体浸透性カバーは、送達の間、該カテーテルの中に配置するために圧潰可能であり、該カテーテルからの配備時に拡張可能であることにより、該流体浸透性カバーの一部は拡張可能である、流体浸透性カバーと
を備え、
該流体浸透性カバーは、軸方向に柔軟性であることにより、該デバイスが、該血管の中に配備され、摩擦力が該流体浸透性カバーに対して印加されると、該シャフトおよび細長ステントの近位移動は、流体浸透性カバー壁の内転を生じさせることにより、該流体浸透性カバー壁が該細長ステントを覆って外転する、システム。
【請求項３７】
血管系を通した送達のために、および血管内腔内の障害物を確保するために構成されている、カテーテルと併用するための介入医療デバイスであって、該デバイスは、
蛇行性生体構造を通って進行するための可撓性を有するシャフトであって、該シャフトは、遠位部分および近位部分を有する、シャフトと、
側壁を備える捕捉デバイスであって、該捕捉デバイスは、該シャフトの遠位部分に固定して位置し、該カテーテルの中に配置するための縮小プロファイルと、拡張プロファイルとを有し、該カテーテルからの配備時に該捕捉デバイスが拡張して、該側壁の一部を該障害物の中へと付勢することにより、少なくとも部分的に該障害物に取着する、捕捉デバイスと、
該捕捉構造の近位端に隣接して連結される遠位端と、近位端と、その間に延在するカバー壁とを有するカバーであって、該カバーの近位端は、該遠位端に対して摺動可能であり、該カバーは、拡張可能であることにより、該カテーテルの中に位置するとき、該カバーが縮小送達状態にあり、該カテーテルからの前進時に、該カバーが該遠位端の近位に位置する該近位端とともに拡張し、該カバー壁は、柔軟であることにより、該カテーテルから配備され、該シャフトが近位方向に引張されるとき、該血管と該カバー壁または近位端との間の摩擦力は、該カバー壁が該捕捉デバイスを覆って内転して、該捕捉デバイスを包囲するとき、該カバーを内転させる、カバーと
を備える、デバイス。
【請求項３８】
回収デバイスを確保するための介入医療デバイスであって、該回収デバイスは、身体からの除去のために、その中に位置する１つ以上の障害物を有し、該医療デバイスは、
蛇行性生体構造を通って進行するための可撓性を有するシースであって、該シースは、遠位部分と、近位部分と、それを通して延在する内腔とを有する、シースと、
該シースの遠位部分に添着される固定区画と、該固定区画から近位方向に延在する自由区画と、該固定区画から該自由区画まで延在するカバー壁とを有する外転可能カバーであって、該外転可能カバーは、拡張可能であり、該外転可能カバーは、軸方向に柔軟であることにより、該回収デバイスが、該シース内腔を通して配置され、該外転可能カバーに対して近位方向に移動させられるとき、該外転可能カバーは該回収デバイスを覆って外転して、該カバーの自由区画が該回収デバイスの遠位にあることを可能にする、外転可能カバーと
を備える、医療デバイス。
【請求項３９】
血管系内の１つ以上の閉塞体に対して拡張するためのステント回収デバイスであって、該ステント回収デバイスは、
蛇行性生体構造を通って進行するための可撓性を有する細長シャフトであって、該細長シャフトは、遠位部分および近位部分を有する、細長シャフトと、
該細長シャフトの遠位部分から分化して、開放遠位端と、流体浸透性閉鎖近位端と、その間の空洞とを有する拡張可能細長ステント本体を形成する複数のフィラメントであって、該細長シャフトの遠位部分における該フィラメントの分化は、該流体浸透性閉鎖近位端を形成し、
該シャフトに沿って延在する該複数のフィラメントは、該遠位部分の中にいかなる接続継目もないことにより、それが蛇行性生体構造を通って進行するとき、該遠位部分の可撓性の増加をもたらす、複数のフィラメントと、
該遠位部分の近位の１つ以上の接続継目であって、該接続継目は、該複数のフィラメントを該シャフトに固着させる、接続継目と
を備える、ステント回収デバイス。
【請求項４０】
前記複数のフィラメントのうちの少なくとも１つは、一緒に捻転された少なくとも２つのワイヤを備え、該細長ステント本体は、フィラメントの少なくとも１つの交差点をさらに備え、各フィラメントのワイヤは、該細長ステント本体の外向き半径方向強度の増加を提供し、該ワイヤは、該細長ステント本体の直径が拡張または圧縮するとき、相互に対して摺動し、該細長ステント本体を線形化するために要求される力を低減させるように編み込まれる、請求項３９に記載のステント回収デバイス。
【請求項４１】
前記細長ステント本体の外部表面は、フィラメントの交差点によって形成される不規則表面を備える、請求項３９に記載のステント回収デバイス。
【請求項４２】
前記フィラメントの交差点は、１つのバーブまたはナックルを備え、複数のバーブまたはナックルが、前記細長ステント本体の周りで半径方向に離間される、請求項４１に記載のステント回収デバイス。
【請求項４３】
前記フィラメントの交差点は、１つのバーブまたはナックルを備え、複数のバーブまたはナックルが、前記細長ステント本体の軸と整列させられる、請求項４１に記載のステント回収デバイス。
【請求項４４】
前記細長ステント本体は、該細長ステント本体の周りで半径方向に離間される複数のバーブまたはナックルを備え、該複数のバーブまたはナックルは、該細長ステント本体の軸と軸方向に整列させられる、請求項４１に記載のステント回収デバイス。
【請求項４５】
少なくとも１つのフィラメントは、延伸充填管材料を備える、請求項３９に記載のステント回収デバイス。
【請求項４６】
少なくとも１つのフィラメントは、第１の材料から構成される少なくとも１つのワイヤと、少なくとも該第１の材料とは異なる少なくとも第２の材料から構成される少なくとも第２のワイヤとを備える、請求項３９に記載のステント回収デバイス。
【請求項４７】
少なくとも１つのフィラメントは、第１の材料から構成される少なくとも１つのワイヤを備え、少なくとも第２のフィラメントは、該第１の材料とは異なる少なくとも第２の材料から構成される少なくとも１つのワイヤを有する、請求項３９に記載のステント回収デバイス。
【手続補正２】
【補正対象書類名】明細書
【補正対象項目名】０００９
【補正方法】変更
【補正の内容】
【０００９】
本発明は、例えば、以下を提供する：
（項目１）
血管内腔内の障害物を回収および確保するための介入医療デバイスであって、該デバイスは、
蛇行性生体構造を通って進行するための可撓性を有するシャフトであって、該シャフトは、遠位部分および近位部分を有する、シャフトと、
複数のストラットを備える、該シャフトの遠位部分に位置する捕捉構造であって、該捕捉構造は、該障害物の中にまたはそれに隣接して配置するための縮小プロファイルと、該障害物の中へと拡張されると、該ストラットが少なくとも部分的に該障害物と噛合し、それにより、該捕捉構造のその後の移動によって、該内腔からの該障害物の少なくとも一部の転置を可能にするような拡張プロファイルとを有する、捕捉構造と、
該捕捉構造の近位端に対して添着される固定区画と、該固定区画から近位方向に延在する自由区画と、該固定区画から該自由区画まで延在するカバー壁とを有する外転可能カバーであって、該外転可能カバーは、拡張可能であり、該外転可能カバーは、軸方向に柔軟であることにより、該シャフトが該内腔内で近位に移動させられると、該外転可能カバーが、該捕捉構造を覆って外転し、該カバーの自由区画が該捕捉部分の固定端の遠位にあることを可能にする、外転可能カバーと
を備える、デバイス。
（項目２）
前記外転可能カバーと、捕捉構造と、シャフトとは、一体型構造である、項目１に記載の医療デバイス。
（項目３）
前記自由区画の端部に位置する各ワイヤは、前記カバーまでループを作って戻り、該カバーは、該自由区画の端部におけるワイヤを連続した状態にさせる、項目１に記載の医療デバイス。
（項目４）
前記遠位端に隣接する前記カバー壁の少なくとも一部は、拡張時に外転される設定形状を有する、項目１に記載の医療デバイス。
（項目５）
カテーテル本体をさらに備え、送達構成において、前記シャフト、捕捉構造、および外転可能カバーは、該カテーテル本体内に位置し、該捕捉構造は、該カテーテル本体の遠位端の中において、およびそれから外に前進可能である、項目１に記載の医療デバイス。
（項目６）
前記外転可能カバーは、前記カバー壁を形成する複数の層を備える、項目１に記載の医療デバイス。
（項目７）
前記外転可能カバーの自由区画は、前記シャフトに取着されることなく、前記シャフトの周りに部分的に拘束される、項目１に記載の医療デバイス。
（項目８）
前記カバー壁の一部は、前記外転可能カバーが拡張されると、前記固定区画を越えて遠位に延在する、項目１に記載の医療デバイス。
（項目９）
前記外転可能カバーの固定区画は、事前に設定された形状を備えることにより、該外転可能カバーを外転させるために要求される力を低減させる、項目１に記載の医療デバイス。
（項目１０）
前記カバー壁は、配備時に、波状パターンに層化される、項目１に記載の医療デバイス。
（項目１１）
前記捕捉構造は、細長ステント構造を備える、項目１に記載の医療デバイス。
（項目１２）
前記捕捉構造は、フィルタ、動脈切除術用デバイス、回転カッタ、吸引デバイス、ステントベースの回収用機器、および回収バスケットから構成される群から選択されるデバイスを備える、項目１に記載の医療デバイス。
（項目１３）
前記カバーは、自己拡張式である、項目１に記載の医療デバイス。
（項目１４）
前記遠位開口部にあるか、またはそれに隣接する前記カバーの一部は、球根状形状を備える、項目１に記載の医療デバイス。
（項目１５）
前記カバーは、第１の多孔率を有する第１の多孔性区画と、少なくとも第２の多孔率を有する第２の多孔性区画とを備え、該第１の多孔率と第２の多孔率とは、第１の多孔性区画と第２の多孔性区画とを通って流動する流体の能力が異なるように、異なる、項目１に記載の医療デバイス。
（項目１６）
前記第１の多孔性区画は、第１の編組密度を備え、前記第２の多孔性区画は、第２の編組密度を備える、項目１５に記載の医療デバイス。
（項目１７）
前記第１の多孔性区画は、付加的な編組層を備える、項目１５に記載の医療デバイス。
（項目１８）
前記第１の多孔性区画は、それを通って流体が流動することを防止する、項目１５に記載の医療デバイス。
（項目１９）
前記第１の多孔性区画は、前記第２の多孔性区画の遠位にあり、前記第１の多孔率は、前記第２の多孔率を上回る、項目１５に記載の医療デバイス。
（項目２０）
前記第１の多孔性区画は、前記カバーの周辺領域を備える、項目１５に記載の医療デバイス。
（項目２１）
前記カバーの領域に、またはそれに隣接して、少なくとも１つのポリマー層をさらに備える、項目１に記載の医療デバイス。
（項目２２）
前記ポリマー層の上に、またはその中に少なくとも１つの薬剤をさらに備える、項目２１に記載の医療デバイス。
（項目２３）
前記シャフトの遠位端に少なくとも１つの放射線不透過性マーカーをさらに備える、項目１に記載の医療デバイス。
（項目２４）
前記カバーは、メッシュ材料を備える、項目１に記載の医療デバイス。
（項目２５）
前記メッシュ材料は、単一の連続ワイヤを備える、項目２４に記載の医療デバイス。
（項目２６）
前記メッシュ材料の少なくとも一部は、延伸充填管材料から加工される、項目２４に記載の医療デバイス。
（項目２７）
前記メッシュ材料の少なくとも一部は、放射線不透過性材料から加工される、項目２４に記載の医療デバイス。
（項目２８）
前記外転可能カバーは、少なくとも１つのワイヤを備え、該少なくとも１つのワイヤは、コイルの巻線が前記カバー壁を形成するようにコイル状にされている、項目１に記載の医療デバイス。
（項目２９）
前記カバーは、前記コイルに隣接する編組をさらに備える、項目２８に記載の医療デバイス。
（項目３０）
前記カバーは、前記コイルに連結されたフィルムをさらに備える、項目２８に記載の医療デバイス。
（項目３１）
前記外転可能カバーは、前記カバー壁の外部表面に少なくとも１つのバーブまたはナックルを備える、項目１に記載の医療デバイス。
（項目３２）
前記外転可能カバーは、内側編組層および外側編組層を備え、該外側編組層は、該内側編組層よりも比較的柔軟である、項目１に記載の医療デバイス。
（項目３３）
血管内の障害物を確保する方法であって、該方法は、
カテーテルを血管内に配置することと、
回収デバイスが添着されているシャフトを該カテーテルから外に前進させることと、
外転可能カバーを該カテーテルから外に前進させることであって、該前進させることにより、該外転可能カバーの固定端が該回収デバイスの近位端に隣接し、該外転可能カバーの自由端が該シャフトおよび回収デバイスに対して移動可能である、ことと、
該外転可能カバーの少なくとも一部を該血管の壁の一部に対して拡張させることと、
該回収デバイスを少なくとも部分的に該障害物と噛合された状態になるように操作することと、
該シャフトおよび回収デバイスをそこに添着された該障害物の少なくとも一部とともに近位に並進させることであって、該並進させることにより、該血管に対する該外転可能カバーの抵抗は、該外転可能カバーの移動に抵抗し、該外転可能カバーの自由区画を、近位に並進された回収デバイスを覆って外転させる、ことと
を含む、方法。
（項目３４）
前記シャフトを前記血管からさらに引抜することをさらに含み、該引抜することにより、引抜の間、前記外転可能カバーは、前記障害物を覆う保護障壁を形成し、該血管によって生じさせられる剪断力を減少させ、前記回収デバイスから該障害物が外れることを低減させる、項目３３に記載の方法。
（項目３５）
回収デバイスを準備する方法であって、該方法は、
患者の身体から以前に除去された回収デバイスを提供することであって、該回収デバイスは、保護カバーを含み、該保護カバーの固定端は、該回収デバイスの近位端に隣接して添着され、自由端は、該回収デバイスを被覆する該固定端の遠位に位置し、第２の端部に対して移動可能である、ことと、
該固定端が該回収デバイスの近位端に隣接して添着された状態のままである間、該自由端を該固定端の近位に移動させることによって、該保護カバーを反転させることと、
該回収デバイスおよびカバーをカテーテルの中へ挿入することであって、該カバーの自由端は、該カバーの固定端および回収デバイスの近位にあることにより、該カテーテルからの配備時に、該カバーの自由端が該カバーの固定端の近位に配備される、ことと
を含む、方法。
（項目３６）
血管内の障害物を確保する方法であって、該方法は、
回収デバイスが添着されたシャフトを該障害物まで前進させることと、
保護デバイスを該シャフトにわたって前進させることであって、該保護デバイスは、外転可能カバーを有するシースを備え、該外転可能カバーの固定端は、該シースの遠位部分に添着され、該外転可能カバーの自由端は、該固定端の近位に位置する、ことと、
該外転可能カバーの固定端を該回収デバイスに隣接して配置し、該外転可能カバーの少なくとも一部を該血管の壁の一部に対して拡張させることと、
該シャフトおよび回収デバイスを、そこに添着された障害物の少なくとも一部とともに近位に並進させることであって、該並進させることにより、該血管に対する該外転可能カバーの抵抗が、該外転可能カバーの移動に抵抗し、該外転可能カバーの自由区画を、近位に並進された回収デバイスを覆って外転させる、ことと
を含む、方法。
（項目３７）
血管内腔内の障害物を確保し、血管系を通って進行させられるように構成されているカテーテルと併用するための医療デバイス回収システムであって、該デバイスは、
複数のストラットを備える細長ステントであって、該ステントは、送達の間、該カテーテルの中に配置するために圧潰可能であり、拡張プロファイルを有することにより、拡張されると、該ストラットが該障害物に係合するように構成されている、ステントと、
該細長ステントに固定して取着され、蛇行性生体構造を通って進行するための可撓性を有するシャフトと、
該細長ステントの近位端に連結される遠位端と、空洞を画定し、該シャフトに沿って延在するカバー壁と、該シャフトに対して移動可能である近位端とを有する流体浸透性カバーであって、該流体浸透性カバーは、送達の間、該カテーテルの中に配置するために圧潰可能であり、該カテーテルからの配備時に拡張可能であることにより、該流体浸透性カバーの一部は拡張可能である、流体浸透性カバーと
を備え、
該流体浸透性カバーは、軸方向に柔軟性であることにより、該デバイスが、該血管の中に配備され、摩擦力が該流体浸透性カバーに対して印加されると、該シャフトおよび細長ステントの近位移動は、流体浸透性カバー壁の内転を生じさせることにより、該流体浸透性カバー壁が該細長ステントを覆って外転する、システム。
（項目３８）
血管系を通した送達のために、および血管内腔内の障害物を確保するために構成されている、カテーテルと併用するための介入医療デバイスであって、該デバイスは、
蛇行性生体構造を通って進行するための可撓性を有するシャフトであって、該シャフトは、遠位部分および近位部分を有する、シャフトと、
側壁を備える捕捉デバイスであって、該捕捉デバイスは、該シャフトの遠位部分に固定して位置し、該カテーテルの中に配置するための縮小プロファイルと、拡張プロファイルとを有し、該カテーテルからの配備時に該捕捉デバイスが拡張して、該側壁の一部を該障害物の中へと付勢することにより、少なくとも部分的に該障害物に取着する、捕捉デバイスと、
該捕捉構造の近位端に隣接して連結される遠位端と、近位端と、その間に延在するカバー壁とを有するカバーであって、該カバーの近位端は、該遠位端に対して摺動可能であり、該カバーは、拡張可能であることにより、該カテーテルの中に位置するとき、該カバーが縮小送達状態にあり、該カテーテルからの前進時に、該カバーが該遠位端の近位に位置する該近位端とともに拡張し、該カバー壁は、柔軟であることにより、該カテーテルから配備され、該シャフトが近位方向に引張されるとき、該血管と該カバー壁または近位端との間の摩擦力は、該カバー壁が該捕捉デバイスを覆って内転して、該捕捉デバイスを包囲するとき、該カバーを内転させる、カバーと
を備える、デバイス。
（項目３９）
回収デバイスを確保するための介入医療デバイスであって、該回収デバイスは、身体からの除去のために、その中に位置する１つ以上の障害物を有し、該医療デバイスは、
蛇行性生体構造を通って進行するための可撓性を有するシースであって、該シースは、遠位部分と、近位部分と、それを通して延在する内腔とを有する、シースと、
該シースの遠位部分に添着される固定区画と、該固定区画から近位方向に延在する自由区画と、該固定区画から該自由区画まで延在するカバー壁とを有する外転可能カバーであって、該外転可能カバーは、拡張可能であり、該外転可能カバーは、軸方向に柔軟であることにより、該回収デバイスが、該シース内腔を通して配置され、該外転可能カバーに対して近位方向に移動させられるとき、該外転可能カバーは該回収デバイスを覆って外転して、該カバーの自由区画が該回収デバイスの遠位にあることを可能にする、外転可能カバーと
を備える、医療デバイス。
（項目４０）
血管系内の１つ以上の閉塞体に対して拡張するためのステント回収デバイスであって、該ステント回収デバイスは、
蛇行性生体構造を通って進行するための可撓性を有する細長シャフトであって、該細長シャフトは、遠位部分および近位部分を有する、細長シャフトと、
該細長シャフトの遠位部分から分化して、開放遠位端と、流体浸透性閉鎖近位端と、その間の空洞とを有する拡張可能細長ステント本体を形成する複数のフィラメントであって、該細長シャフトの遠位部分における該フィラメントの分化は、該流体浸透性閉鎖近位端を形成し、
該シャフトに沿って延在する該複数のフィラメントは、該遠位部分の中にいかなる接続継目もないことにより、それが蛇行性生体構造を通って進行するとき、該遠位部分の可撓性の増加をもたらす、複数のフィラメントと、
該遠位部分の近位の１つ以上の接続継目であって、該接続継目は、該複数のフィラメントを該シャフトに固着させる、接続継目と
を備える、ステント回収デバイス。
（項目４１）
前記複数のフィラメントのうちの少なくとも１つは、一緒に捻転された少なくとも２つのワイヤを備え、該細長ステント本体は、フィラメントの少なくとも１つの交差点をさらに備え、各フィラメントのワイヤは、該細長ステント本体の外向き半径方向強度の増加を提供し、該ワイヤは、該細長ステント本体の直径が拡張または圧縮するとき、相互に対して摺動し、該細長ステント本体を線形化するために要求される力を低減させるように編み込まれる、項目４０に記載のステント回収デバイス。
（項目４２）
前記細長ステント本体の外部表面は、フィラメントの交差点によって形成される不規則表面を備える、項目４０に記載のステント回収デバイス。
（項目４３）
前記フィラメントの交差点は、１つのバーブまたはナックルを備え、複数のバーブまたはナックルが、前記細長ステント本体の周りで半径方向に離間される、項目４２に記載のステント回収デバイス。
（項目４４）
前記フィラメントの交差点は、１つのバーブまたはナックルを備え、複数のバーブまたはナックルが、前記細長ステント本体の軸と整列させられる、項目４２に記載のステント回収デバイス。
（項目４５）
前記細長ステント本体は、該細長ステント本体の周りで半径方向に離間される複数のバーブまたはナックルを備え、該複数のバーブまたはナックルは、該細長ステント本体の軸と軸方向に整列させられる、項目４２に記載のステント回収デバイス。
（項目４６）
少なくとも１つのフィラメントは、延伸充填管材料を備える、項目４０に記載のステント回収デバイス。
（項目４７）
少なくとも１つのフィラメントは、第１の材料から構成される少なくとも１つのワイヤと、少なくとも該第１の材料とは異なる少なくとも第２の材料から構成される少なくとも第２のワイヤとを備える、項目４０に記載のステント回収デバイス。
（項目４８）
少なくとも１つのフィラメントは、第１の材料から構成される少なくとも１つのワイヤを備え、少なくとも第２のフィラメントは、該第１の材料とは異なる少なくとも第２の材料から構成される少なくとも１つのワイヤを有する、項目４０に記載のステント回収デバイス。
本明細書で論じられる実施例は、血管系内の障害物または血塊を回収するために好適な形態における本発明のデバイスを示す。障害物という用語は、血塊、プラーク、コレステロール、血栓、自然発生異物（すなわち、内腔内に引っ掛かった身体の一部）、非自然発生異物（すなわち、内腔内に引っ掛かった医療デバイスまたは他の非自然発生物質の一部）を含んでもよい。しかしながら、デバイスは、そのような用途に限定されず、接続点の排除またはその数の減少が所望される、任意の数の医療用途に適用することができる。